(57)【要約】【課題】取り付けの手間が少なく、露出することのない尿瓶洗浄機能を提供する。【解決手段】尿瓶洗浄スイッチ３ｃがオン操作されている場合は洗浄便座のノズル装置４のモータ４ｃによりシリンダ４ｂからノズル本体４ａを進出させ、ノズル本体４ａの先端の噴出口４ｄから便器本体１の溜水面の方向に水または温水が噴出され、尿瓶またはパウチ洗浄を開始し、同時に手元を照らすためにライトを点灯する（ステップＳ７）。次に１分経過したかどうかを確認し（ステップＳ８）、１分経過すると噴出口４ｄ（または噴出口４ｆ）からの噴出を停止し尿瓶洗浄を停止し、同時にライトも消灯する（ステップＳ９）。【選択図】　図６
2004003302.tif 000002
【特許請求の範囲】
【請求項１】
便器に固定して局部洗浄を行なう洗浄便座において、便座に座った人の局部に向けて洗浄水を噴射する第一の洗浄水噴射手段と、便器での尿瓶やパウチの洗浄を行なうために洗浄水を吐出する第二の洗浄水噴射手段とを有する洗浄ノズルと、前記洗浄ノズルからの洗浄水の供給を制御する制御部を備えたことを特徴とする洗浄便座。
【請求項２】
前記第二の洗浄水噴射手段による洗浄水の噴出は、前記洗浄ノズルの先端部から洗浄ノズルの軸方向に洗浄水を噴出する構成としたことを特徴とする請求項１に記載の洗浄便座。
【請求項３】
前記第二の洗浄水噴射手段による洗浄水の噴出は、前記洗浄ノズルの先端部から大便器の溜水面に向け洗浄水を噴出する構成としたことを特徴とする請求項１に記載の洗浄便座。
【請求項４】
使用者の便座への着座を検出するための着座センサーを備え、前記制御部は、前記着座センサーの着座検出時のみ前記第一の洗浄水噴射手段による洗浄水の噴出を許可し、前記第二の洗浄水噴射手段による洗浄水の噴出は前記着座センサーの検出信号によらず許可することを特徴とする請求項１乃至３のいずれか１項に記載の洗浄便座。
【請求項５】
前記制御部は、前記第二の洗浄水噴射手段による洗浄水の噴出を、噴出開始から所定時間後に自動で停止することを特徴とする請求項１乃至４のいずれか１項に記載の洗浄便座。
【請求項６】
前記洗浄ノズル近傍を照らす照明手段を備え、前記制御部は、前記第二の洗浄水噴射手段による洗浄水噴出中は前記照明手段を点灯させることを特徴とする請求項１乃至５のいずれか１項に記載の洗浄便座。
【請求項７】
前記第二の洗浄水噴射手段による洗浄水の噴出流量は、前記第一の洗浄水噴射手段による洗浄水の噴出流量よりも大きく設定されていることを特徴とする請求項１乃至６のいずれか１項に記載の洗浄便座。
【請求項８】
前記第一の洗浄水噴射手段による洗浄水の噴出と前記第二の洗浄水噴射手段による洗浄水の噴出を切り替えるための流路切替え弁を前記洗浄ノズルに内蔵したことを特徴とする請求項１乃至７のいずれか１項に記載の洗浄便座。
【請求項９】
前記第二の洗浄水噴射手段による洗浄水の温度は、前記第一の洗浄水噴射手段による洗浄水の噴出温度よりも低く設定されていることを特徴とする請求項１乃至８のいずれか１項に記載の洗浄便座。
【請求項１０】
前記第二の洗浄水噴射手段による洗浄水の噴出流路は、洗浄水を温水に加熱するための熱交換器を迂回して成ることを特徴とする請求項１乃至８のいずれか１項に記載の洗浄便座。
【発明の詳細な説明】
【０００１】
【発明の属する技術分野】
本発明は、局部を洗浄する機能を備えた洗浄便座に関する。
【０００２】
【従来の技術】
従来より、被介護者のいるような住宅、病院、診療所等において、患者等の尿を入れた尿瓶を洗浄したり、オストメイト（人工肛門保有者）のパウチを洗浄するための尿瓶洗浄水栓は、特許文献１に示すようなものがある。
【０００３】
【特許文献１】
特開平８−２３２３２１号公報
【０００４】
図１４はこの従来の尿瓶洗浄水栓を示した斜視図である。
図１４において、尿瓶洗浄水栓１６は、水洗便器１７の近傍に装備されたものであり、レバ−１８が一体的に取り付けられた回動可能なハンドル１９と、レバ−１８を操作することによりハンドル１９が所定角度回動されたとき開弁し、外部から供給された水道水を通過させる弁部が内蔵された本体２１と、本体２１に接続されたホ−ス２２と、ホ−ス２２の先端部に取り付けられてハンドル１６が所定角度回動されたとき、水道水を吐出させる吐出口２４が開口された吐出管２５とを基本的な構成部材とするものである。上記ホ−ス２２の中間部を支持するためにホ−ス支持部材２６が、水洗便器１７のフラッシュバルブ１０の下部に設けられている。また、フラッシュバルブ１０の上部には、吐出管２５を取り外し可能に掛止する掛止フック１１が設けられている。そして、尿瓶の洗浄時等に、この掛止フック１１に吐出管２５が掛止されていると、便座１２の開口１２Ａから延出された吐出管２５の吐出口２４は、便器本体１の鉢部１４の中央部に水道水が落下する位置にあるため、吐出口２４から吐出された水道水は鉢部１４の中央部に落ちる。一方、尿瓶の洗浄をしないような場合には、吐出管２５が掛止フック１１から外され、水洗便器１７の側に置かれた収納ボックス１５に収納されるようになっている。
【０００５】
【発明が解決しようとする課題】
しかしながら、上記した従来の尿瓶洗浄水栓は専用に設置する必要があり、取り付け施工の手間がかかるという問題点や、常に露出しているために邪魔になるという問題点があった。
【０００６】
本発明は上記課題を解決するためになされたもので、本発明の目的は、取り付けの手間が少なく、露出することのない尿瓶洗浄機能を提供することにある。
【０００７】
【課題を解決するための手段及びその作用・効果】
上記目的を達成するために請求項１では、便器に固定して局部洗浄を行なう洗浄便座において、便座に座った人の局部に向けて洗浄水を噴射する第一の洗浄水噴射手段と、便器での尿瓶やパウチの洗浄を行なうために洗浄水を吐出する第二の洗浄水噴射手段とを有する洗浄ノズルと、前記洗浄ノズルからの洗浄水の供給を制御する制御部を備えた構成とした。
【０００８】
よって、洗浄便座のノズル装置に設けられた洗浄ノズルから水または温水が噴出されて尿瓶やパウチの洗浄を行うことが可能になり、わざわざ尿瓶洗浄水栓を設置する必要がなくなる。
【０００９】
請求項２では、請求項１に記載の洗浄便座において、前記第二の洗浄水噴射手段による洗浄水の噴出は、前記洗浄ノズルの先端部から洗浄ノズルの軸方向に洗浄水を噴出する構成とした。
【００１０】
よって、洗浄便座のノズル装置に設けられた第二の噴出部から水または温水が大便器内に噴出されて尿瓶やパウチの洗浄を行うことが可能になり、洗浄水が大便器の外に飛散することを抑えることができる。
【００１１】
請求項３では、請求項１に記載の洗浄便座において、前記第二の洗浄水噴射手段による洗浄水の噴出は、前記洗浄ノズルの先端部から大便器の溜水面に向け洗浄水を噴出する構成とした。
【００１２】
よって、洗浄便座のノズル装置に設けられた第二の噴出部から水または温水が大便器内に噴出されて尿瓶やパウチの洗浄を行うことが可能になり、洗浄水が大便器の外に飛散することを抑えることができる。
【００１３】
請求項４では、請求項１乃至３のいずれかに記載の洗浄便座において、使用者の便座への着座を検出するための着座センサーを備え、前記制御部は、前記着座センサーの着座検出時のみ前記第一の洗浄水噴射手段による洗浄水の噴出を許可し、前記第二の洗浄水噴射手段による洗浄水の噴出は前記着座センサーの検出信号によらず許可することとした。
【００１４】
よって、使用者が洗浄便座に着座しなくても洗浄便座のノズル装置に設けられた第二の噴出部から水または温水が噴出されて尿瓶やパウチの洗浄を行うことが可能になる。
【００１５】
請求項５では、請求項１乃至４のいずれかに記載の洗浄便座において、前記制御部は、前記第二の洗浄水噴射手段による洗浄水の噴出を、噴出開始から所定時間後に自動で停止することとした。
【００１６】
よって、予め設定された、尿瓶やパウチの洗浄が終了するに十分な時間が来ると第二の噴出部からの洗浄水の噴出が自動的に停止され、洗浄により汚れた手で操作部を触らずに済み清潔である。
【００１７】
請求項６では、請求項１乃至５のいずれかに記載の洗浄便座において、前記洗浄ノズル近傍を照らす照明手段を備え、前記制御部は、前記第二の洗浄水噴射手段による洗浄水噴出中は前記照明手段を点灯させることとした。
【００１８】
尿瓶やパウチの洗浄時には人体により天井等の上部からの照明がさえぎられ、手元が暗くなってしまうが、洗浄便座の照明手段が点灯されるため手元が明るくなり、尿瓶やパウチを洗浄しやすくできる。
【００１９】
請求項７では、請求項１乃至６のいずれかに記載の洗浄便座において、前記第二の洗浄水噴射手段による洗浄水の噴出流量は、前記第一の洗浄水噴射手段による洗浄水の噴出流量よりも大きく設定されるようにした。
【００２０】
よって、第二の洗浄水噴射手段により、第一の洗浄水噴射手段による洗浄水の噴出流量よりも多めに噴出されるため、尿瓶やパウチを洗浄する場合に尿瓶やパウチ内に水を早く溜めて洗浄を行うことができる。
【００２１】
請求項８では、請求項１乃至７のいずれかに記載の洗浄便座において、前記第一の洗浄水噴射手段による洗浄水の噴出と前記第二の洗浄水噴射手段による洗浄水の噴出を切り替えるための流路切替え弁を前記洗浄ノズルに内蔵する構成とした。
【００２２】
よって、流路切替え弁がノズル本体と共に所定の軌跡に沿って進退するため、流路切替え弁と洗浄水の噴出孔とを接続する流路を短くすることができ、流路に使用する材料の使用量を少なくすることができる。
【００２３】
請求項９では、請求項１乃至８のいずれかに記載の洗浄便座において、前記第二の洗浄水噴射手段による洗浄水の温度は、前記第一の洗浄水噴射手段による洗浄水の噴出温度よりも低く設定されるようにした。
【００２４】
そもそも尿瓶やパウチを洗浄する場合は、洗浄水が直接手などの肌に触れることがないため、温水を吐水する必要性が低く、第二の洗浄噴射手段からの噴出温度を低く設定することで省エネルギーを図ることができる。
【００２５】
請求項１０では、請求項１乃至８のいずれかに記載の洗浄便座において、前記第二の洗浄水噴射手段による洗浄水の噴出流路は、洗浄水を温水に加熱するための熱交換器を迂回して成る構成とした。
【００２６】
よって、尿瓶洗浄時に熱交換器を迂回させることにより、流路の圧力損失を抑えることができ、パウチや尿瓶洗浄時の第二の洗浄水噴射手段からの吐水流量を増大させることができる。また、熱交換器が貯湯式の場合、パウチや尿瓶洗浄により熱交換器内の温水が全て吐水され、次の使用者がおしり、ビデ洗浄を行う際に湯切れしてしまっている事を防止することもできる。
【００２７】
【発明の実施の形態】
以下、本発明の実施の形態を、図面によりに説明する。
先ずは図１〜図６を用いて概要を説明し、図７〜図１３を用いての詳細説明については後述する。
【００２８】
図１は本発明に係わる洗浄便座を備えた便器装置である。
便器本体１に洗浄便座機能のケーシング２を固定し、ケーシング２には便座２ａ及び便蓋２ｂを取り付けると共に各機能部を操作するための操作盤２ｃをケーシング２の表面に備えたものである。便座２ａには使用者の着座を検出するための着座センサー９が備えられている。そして、ケーシング２から便座２ａの下を潜って進退動作するノズル装置４を組み込み、このノズル装置４のストローク方向の位置を変更することによって洗浄ポイントを任意に設定できるようになっている。
なお、着座センサー９は、便座２ａに内蔵せずに、ケーシング２に投受光方式のセンサーを設ける形式であってもよい。
【００２９】
図２は本発明に係わる洗浄便座のノズル装置４への洗浄水の供給系を示すもので、人体局部への洗浄水噴射を示す概略図である。
ノズル装置４への洗浄水の流路には、ケーシング２の外部の給水配管に接続され流路の開閉及び調圧のための開閉弁と調圧弁を内蔵したバルブユニット５、給水を加熱する温水タンク６、温水タンク６からの洗浄水の流量を設定する流量制御弁７をそれぞれ組み込む。ノズル装置４はノズル本体４ａとこれを進退自在に支持するシリンダ４ｂを備え、モータ４ｃの出力軸をこのノズル本体４ａに機械的に連接することによってノズル本体４ａの軸線方向に往復動作させる。ノズル本体４ａの先端にはおしり洗浄やビデ洗浄などの局部洗浄のための噴出口４ｄが設けられており、矢印Ａの方向に水または温水が噴出されるようになっている。また、ノズル装置４の制御を含めて洗浄水の供給を制御するための制御部８を備え、これによってバルブユニット５の開閉，温水タンク６の温度センサ６ｂからの信号に基づくヒータ６ａの発熱量，流量制御弁７を制御する。なお、ケーシング２の中には洗浄機能部だけでなく、乾燥用の温風ファン，消臭用のファン及びカセット等を組み込むことは任意であり、これらの機能部の操作も同様に操作盤２ｃによって行うものとする。
なお、図１の例では、便器本体１を正面から見て右側すなわち便座２ａに座っている人にとっては左手の壁に、リモートコントローラ３がそのハンガー３ａによって保持されている。このリモートコントローラ３は従来例と同様に赤外線の投光部を持ち、これからの赤外線信号をケーシング２の受光窓２ｄに送って制御部８に入力可能としたものである。
【００３０】
図３は本発明の洗浄便座のノズル装置４への洗浄水の供給系を示す第一の概略図である。
ノズル本体４ａの先端には局部洗浄のための噴出口４ｄに加えてさらに尿瓶洗浄のための第二の噴出口４ｅが設けられており、便器本体の溜水面に向かう矢印Ｂの方向に水または温水が噴出されるようになっている。この第二の噴出口４ｅの前方に尿瓶やパウチを配置し洗浄を行うことができるようになっている。
【００３１】
図４は本発明の洗浄便座のノズル装置４への洗浄水の供給系を示す第二の概略図である。
ノズル本体４ａの先端には局部洗浄のための噴出口４ｄに加えてさらに尿瓶洗浄のための第二の噴出口４ｆが設けられており、便器本体の溜水面に向かう矢印Ｃの方向に水または温水が噴出されるようになっている。この第二の噴出口４ｆの前方に尿瓶やパウチを配置し洗浄を行うことができるようになっている。
【００３２】
図５は本発明の洗浄便座のリモートコントローラ３の正面図である。
リモートコントローラ３にはビデ洗浄の際にオン操作するビデ洗浄スイッチ３ａと、おしり洗浄の際にオン操作するおしり洗浄スイッチ３ｂと、尿瓶やパウチを洗浄する際にオン操作する尿瓶スイッチ３ｃが設けられている。また、言うまでもないが、このリモートコントローラ３には、各洗浄を停止する止スイッチが設けられている。
【００３３】
図６は本発明の洗浄便座の局部洗浄と尿瓶洗浄の制御フローである。
まず、リモートコントローラ３のおしり洗浄スイッチ３ｂがオン操作されたかどうかを確認する（ステップＳ１）。おしり洗浄スイッチ３ｂがオン操作されている場合は使用者が着座しているかどうかを着座センサー９の検出信号により確認する（ステップＳ２）。着座が検出されている場合はノズル装置４のモータ４ｃによりシリンダ４ｂからノズル本体４ａを進出させ、ノズル本体４ａの先端の噴出口４ｄから矢印Ａの方向に水または温水が噴出され局部洗浄を開始する（ステップＳ３）。おしり洗浄スイッチ３ｂがオフ操作されると噴出口４ｄからの噴出を停止し局部洗浄を終了する（ステップＳ５）。ステップＳ１でおしり洗浄スイッチ３ｂがオン操作されていない場合は尿瓶洗浄スイッチ３ｃがオン操作されているかどうかを確認する（ステップＳ６）。尿瓶洗浄スイッチ３ｃがオン操作されている場合はノズル装置４のモータ４ｃによりシリンダ４ｂからノズル本体４ａを進出させ、ノズル本体４ａの先端の噴出口４ｄから矢印Ｂの方向（または噴出口４ｆから矢印Ｃ方向）に水または温水が噴出され尿瓶またはパウチ洗浄を開始し、同時に手元を照らすためにノズル本体４ａの先端に設けられたライト３０４（図８参照）を点灯する（ステップＳ７）。次に１分経過したかどうかを確認し（ステップＳ８）、１分経過すると噴出口４ｄ（または噴出口４ｆ）からの噴出を停止し尿瓶洗浄を停止し、同時にライト３０４も消灯する（ステップＳ９）。以上のように、使用者が洗浄便座に着座しなくても洗浄便座のノズル装置に設けられた第二の噴出部から水または温水が噴出されて尿瓶やパウチの洗浄を行うことが可能になる。また、予め設定された、尿瓶やパウチの洗浄が終了するに十分な時間が来ると第二の噴出部からの洗浄水の噴出が自動的に停止され、洗浄により汚れた手で操作部を触らずに済み清潔である。
なお、この制御フローでは、噴出口４ｄ（すなわち第二の噴出部）からの噴射時に手元照明手段となるライト３０４を点灯させているが、ライト３０４を備えない構成とすることも可能である。
【００３４】
次に、図７〜図１３を用いて詳細の構成を説明する。
【００３５】
図７は、本発明の実施の形態に係るノズル装置４の詳細斜視図である。
図７に示すように、ノズル装置４は、洗浄水を噴射するノズルヘッド４３を有するノズル本体４４と、流調切替弁（図９参照）の一部を構成する流調モータ６２と、ノズル伸縮駆動モータ４６と、このノズル伸縮駆動モータ４６の正逆回転を前後に変換してノズル本体４４に伝達する伝達機構９０、１００、１１０、１３０と、ノズル本体４４を図示しない便器ボール部側で摺動自在に保持するノズル保持部８０と、ノズル本体４４をノズル進退軌道に沿って案内する案内レール部７０と、洗浄水を給水する給水チューブ（給水流路）１４０等を有する。
伝達機構は、ノズル伸縮駆動モータ４６の回転軸に固定された駆動プーリ１１０と、ノズル駆動軌跡４５に沿った前後の従動プーリ１３０と、これらプーリ１３０に掛け渡されたタイミングベルト９０と、このタイミングベルト９０にテンションを与えるテンショナー１００とを有する。タイミングベルト９０は、ノズル本体４４のベルト把持体５０を介して、当該ノズル本体４４と係合・固定されている。よって、このノズル本体４４は、タイミングベルト９０の正逆回転に応じて前後に進退駆動する。
なお、給水チューブ１４０は、熱交換器３６と洗浄ノズル４４とを接続しており、また、可撓性を有するので、洗浄ノズル本体４４の進退に伴って変形自在である。
【００３６】
図８は、ノズルヘッド４３の拡大概略斜視図である。
ノズルヘッド４３には、おしり洗浄のための洗浄水を吐水するおしり洗浄孔３０１、ビデ洗浄のための洗浄水を吐水するビデ洗浄孔３０２、尿瓶洗浄のための洗浄水を吐水する尿瓶洗浄孔３０３がそれぞれ形成されている。さらに尿瓶洗浄孔３０３の横には尿瓶洗浄時に手元を照らすためのライト３０４が備えられている。尿瓶やパウチの洗浄時には人体により天井等の上部からの照明がさえぎられ、手元が暗くなってしまうが、洗浄便座の照明手段が点灯されるため手元が明るくなり、尿瓶やパウチを洗浄しやすくできる。なお、図８中の点線で描かれた流路はおしり洗浄孔３０１、ビデ洗浄孔３０２、尿瓶洗浄孔３０３に連通する吐水流路を現しており、ノズル本体４４の軸方向に沿って形成されている。本実施例では尿瓶洗浄孔３０３をノズルヘッド４３の先端面に設けたが、尿瓶洗浄孔３０３をノズルヘッド４３の裏面に設け、大便器の溜水面に向け洗浄水が吐水されるように構成してもよい。
【００３７】
図９は、人体局部に対して噴射する洗浄水の流量と流路を切り替える流調切替弁の分解斜視図である。
図９に示すように、流調切替弁は、コイル巻線部分が樹脂モールドされており、駆動軸６２ａを有する流調モータ６２と、十字穴付のナベタッピンネジ１５０と、押板１６０と、Ｏリング１７０と、収納ボディ１８０と、Ｙパッキン１９０と、一端を駆動軸６２ａ他端をロータ２３０に結合される支持部２００と、シールフランジ２１０と、スプリング２２０と、ロータ２３０と、ステータ２４０と、ステータシール２５０と、から構成されている。なお、ロータ２３０とステータ２４０は、ノズル本体４４におしり、ビデ、尿瓶吐水流路（図８の点線で示す）を跨ぐように内蔵される。
【００３８】
図１０（ａ）〜（ｂ）は、流調切替弁の構成部品のうち、弁機能を果たすロータ２３０とステータ２４０の上面図である。
図１０（ａ）に示すように、ロータ２３０には、大穴２３１と、小穴２３２が貫通するように形成されている。また、図４（ｂ）に示すように、ステータ２４０には、ビデ洗浄孔３０２に通じるビデ穴２４１、おしり洗浄孔３０１に通じるおしり穴２４２、尿瓶洗浄孔３０３に通じる尿瓶洗浄穴２４３が貫通するように形成されている。なお、図１０に示すα、βは、それぞれロータ２３０とステータ２４０の回転軸であり、この回転軸を中心としてロータ２３０とステータ２４０は回転するのである。
【００３９】
図１１（ａ）〜（ｄ）は、駆動軸６２ａ・支持部２００を介して駆動モータ６２の駆動トルクが伝達され回転するロータ２３０が、おしり、ビデ、尿瓶洗浄吐水流路（図８の点線で示す）へそれぞれ貫通する穴が形成されたステータ２４０上を回転した様子を示したものであり、具体的には、それぞれ図（ａ）は待機状態、図（ｂ）はビデ穴開状態、図（ｃ）はおしり穴開状態、図（ｄ）は尿瓶洗浄穴開状態を示している。
【００４０】
以上説明したように流調切替え弁がノズル本体４４と共に所定の軌跡に沿って進退するため、流調切替え弁と洗浄水の噴出孔とを接続する流路を短くすることができ、流路に使用する材料の使用量を少なくすることができる。
【００４１】
図１２は、本発明の洗浄便座のノズル装置４への洗浄水の供給系を示す詳細図である。
水道源側（上流側）から、３２０は給水接続部、３２２は逆流防止のための逆止弁、３２４は給水された洗浄水中の異物を除去するストレーナ、３２６は給水圧の変動によらず下流を一定の圧力に保つ調圧弁、３０は主流路電磁弁、３４は下流の圧力が上昇した場合にその圧力上昇を抑えるためのリリーフ弁、３６は給水された洗浄水を加熱するヒーターを備えた熱交換器、３８は真空破壊弁、４０は流調弁、４２は切替弁、４４は先端に図８に示すノズルヘッド４３を有する伸縮自在なノズル本体、４６はノズル伸縮駆動モータである。主流路電磁弁３０が開弁されるとノズル本体４４から洗浄水が吐水される。切替弁４２によりおしり洗浄孔３０１、ビデ洗浄孔３０２、尿瓶洗浄孔３０３への吐水経路が切り替えられる。尿瓶やパウチを洗浄する場合は、尿瓶やパウチ内に一旦水を溜めてから洗浄を行うため、おしり洗浄、ビデ洗浄より吐水流量を多くする必要がある。そこで、尿瓶洗浄孔３０３から洗浄水が吐水される場合は、流調弁４０によりおしり洗浄、ビデ洗浄より吐水流量が多くなるように調整される。
【００４２】
図１３は、本発明の洗浄便座のノズル装置４への洗浄水の供給系を示す別の詳細図である。
図１２との違いは、調圧弁３２６の下流で熱交換器３６を通過する主流路１４１と熱交換器３６を迂回し流調弁４０の手前で主流路と合流する副流路１４２を形成している点である。副流路には副流路電磁弁３２が備えられている。おしり洗浄とビデ洗浄の場合は、主流路電磁弁３０が開弁されノズル本体４４から洗浄水が吐水される。尿瓶洗浄の場合は副流路電磁弁３２が開弁され、熱交換器３６を迂回してノズル本体４４から吐水される。この際、副流路電磁弁３２と主流路電磁弁３０の両方を開弁し混合水をノズル本体４４から吐水するようにしてもよいし、副流路電磁弁３２のみを開弁し水のみを吐水するようにしてもよい。そもそも尿瓶やパウチを洗浄する場合は、洗浄水が直接手などの肌に触れることがないため、温水を吐水する必要性が低い。よって、尿瓶洗浄時に熱交換器３６を迂回させることにより、流路の圧力損失を抑えることができ、尿瓶洗浄時のノズルヘッド４３からの吐水流量を増大させることができる。また、熱交換器３６が貯湯式の場合、尿瓶洗浄により熱交換器内の温水が全て吐水され、次の使用者がおしり、ビデ洗浄を行う際に湯切れしてしまっている事を防止することもできる。また、温水を不必要に使用しないため省エネルギーを図ることもできる。
【００４３】
なお、ここで、流調弁４０、切替弁４２を便宜上別々のブロックとしているが、図９〜図１１で説明したように、実質上はロータ２３０とステータ２４０を有する流調切替弁である。この場合、図９〜図１１で説明したように、流調切替弁４０、４２は、流入路と流出路の連通面積をロータ２３０の回転角度により、選択的に可変かつ止水可能な構成としている。
【図面の簡単な説明】
【図１】本発明に係わる洗浄便座を備えた便器装置
【図２】本発明に係わる洗浄便座のノズル装置４への洗浄水の供給系を示すもので、人体局部への洗浄水噴射を示す概略図
【図３】本発明の洗浄便座のノズル装置４への洗浄水の供給系を示す第一の概略図
【図４】本発明の洗浄便座のノズル装置４への洗浄水の供給系を示す第二の概略図
【図５】本発明の洗浄便座のリモートコントローラ３の正面図
【図６】本発明の洗浄便座の局部洗浄と尿瓶洗浄の制御フロー
【図７】従来の尿瓶洗浄水栓を示した斜視図
【図８】ノズルヘッド４３の拡大概略斜視図
【図９】流調切替弁の分解斜視図
【図１０】流調切替弁のロータ２３０とステータ２４０の上面図
【図１１】ロータ２３０が、おしり、ビデ、尿瓶洗浄吐水流路へそれぞれ貫通する穴が形成されたステータ２４０上を回転した様子を示した図
【図１２】本発明の洗浄便座のノズル装置４への洗浄水の供給系を示す詳細図
【図１３】本発明の洗浄便座のノズル装置４への洗浄水の供給系を示す別の詳細図
【図１４】従来の尿瓶洗浄水栓を示した斜視図
【符号の説明】
１…便器本体
２…ケーシング
２ａ…便座
２ｂ…便蓋
２ｃ…操作盤
３…リモートコントローラ
３ｂ…おしり洗浄スイッチ
３ｃ…尿瓶スイッチ
３ａ…ハンガー
４…ノズル装置
４ａ…ノズル本体
４ｂ…シリンダ
４ｃ…モータ
４ｄ…噴出口（おしり洗浄孔、ビデ洗浄孔等）
４ｅ…第二の噴出口（尿瓶洗浄孔）
４ｆ…第二の噴出口（尿瓶洗浄孔）
５…バルブユニット
６…温水タンク
６ａ…ヒータ
６ｂ…温度センサ
７…流量制御弁
８…制御部
９…着座センサー
１０…フラッシュバルブ
１１…掛止フック
１２…便座
１２Ａ…開口
１４…鉢部
１５…収納ボックス
１６…尿瓶洗浄水栓
１７…水洗便器
１８…レバ−
１９…ハンドル
２１…本体
２２…ホ−ス
２４…吐出口
２５…吐出管
２６…ホース支持部材
３０…主流路電磁弁
３２…胴体洗浄電磁弁
３４…リリーフ弁
３６…熱交換器
３８…真空破壊弁
４０…流調弁
４２…切替弁
４３…ノズルヘッド
４４…ノズル本体
４５…ノズル進退軌道
４６…ノズル伸縮駆動モータ
４７…進出収納口
４８…洗浄水圧力変動部
５０…ベルト把持体
６２…流調モータ
６２ａ…駆動軸
７０…案内レール部
８０…ノズル保持部
９０…タイミングベルト
１００…テンショナー
１１０…駆動プーリ
１３０…従動プーリ
１４０…給水チューブ（給水流路）
１５０…ナベタッピンネジ
１６０…押板
１７０…Ｏリング
１８０…収納ボディ
１９０…Ｙパッキン
２００…支持部
２１０…シールフランジ
２２０…スプリング
２３０…ロータ
２４０…ステータ
２５０…ステータシール
３０１…おしり洗浄孔
３０２…ビデ洗浄孔
３０３…尿瓶洗浄孔
３２０…ストレーナ
３２２…逆止弁
３２６…調圧弁
【図１】
2004003302.tif 000003
【図２】
2004003302.tif 000004
【図３】
2004003302.tif 000005
【図４】
2004003302.tif 000006
【図５】
2004003302.tif 000007
【図６】
2004003302.tif 000008
【図７】
2004003302.tif 000009
【図８】
2004003302.tif 000010
【図９】
2004003302.tif 000011
【図１０】
2004003302.tif 000012
【図１１】
2004003302.tif 000013
【図１２】
2004003302.tif 000014
【図１３】
2004003302.tif 000015
【図１４】
2004003302.tif 000016